(57)【特許請求の範囲】
【請求項１】
頭髪を処理するための装置（２）であって、
−  ２つのアーム（５、６）であって、頭髪を処理するための寄せられた形態と、双方のアーム間に処理すべき頭髪を差し挟むための離間した形態との間で、互いに相対移動することができる、２つのアーム（５、６）、および
−  製品を塗布するための塗布システム（１８）であって、前記製品を塗布するためのアプリケータ部材（２６）を備え、前記塗布システム（１８）は、前記２つのアームのうちの一方（５）に取り付けられ、当該装置（２）を使用して頭髪が処理されている間、処理すべき頭髪に対する前記アプリケータ部材（２６）の相異なるそれぞれの塗布圧力を生成する少なくとも２つの位置間を、前記塗布システム（１８）を担持する前記アーム（５）と相対移動することができる、塗布システム（１８）
を備える、装置（２）。
【請求項２】
前記少なくとも２つの位置のうちの１つの位置が、前記製品を塗布するための寄せられた位置であり、他の位置が、処理すべき頭髪から離間した位置であって、前記アプリケータ部材（２６）が、処理すべき頭髪から離間されている、離間した位置である、請求項１に記載の装置。
【請求項３】
前記塗布システム（１８）が、頭髪を処理するための当該装置の使用中、任意の中間位置を取ることが可能である、請求項１または２に記載の装置。
【請求項４】
前記２つのアーム（５、６）はそれぞれ、当該装置を保持するためのハーフハンドル（１０、１１）と、前記２つのアーム（５、６）の前記寄せられた形態において処理すべき頭髪と接触するジョー（３、４）とを備え、前記塗布システム（１８）が、前記塗布システム（１８）を担持する前記アーム（５）の前記ジョー（３）に沿って延びる、請求項１から３のいずれか一項に記載の装置。
【請求項５】
前記塗布システム（１８）が、前記塗布システム（１８）を担持する前記アーム（５）の前記ジョー（３）だけに沿って延びる、請求項４に記載の装置。
【請求項６】
２つの加熱要素であって、頭髪と接触するようにそれぞれ意図され、かつそれぞれが、アーム（５、６）に配設される、２つの加熱要素を備える、請求項１から５のいずれか一項に記載の装置。
【請求項７】
前記塗布システム（１８）が、前記塗布システム（１８）を担持する前記アーム（５）の陥凹部（２３）に取り付けられる、請求項１から６のいずれか一項に記載の装置。
【請求項８】
前記塗布システム（１８）が、前記塗布システム（１８）を担持する前記アーム（５）に取り付けられているホルダ（２２）と、前記ホルダ（２２）に取り付けられ、前記アプリケータ部材（２６）を備えるリフィル（２０）とを備える、請求項１から７のいずれか一項に記載の装置。
【請求項９】
前記リフィル（２０）が、着脱可能であり、相補的な形状によって固定される、請求項８に記載の装置。
【請求項１０】
前記リフィル（２０）が、前記塗布システム（１８）を担持する前記アーム（５）の形態および前記塗布システム（１８）の位置に関わらず、アクセス可能である、請求項８または９に記載の装置。
【請求項１１】
前記リフィル（２０）は、前記２つのアーム（５、６）が、前記寄せられた形態にあるのか、それとも前記離間した形態にあるのかに関わらず、前記塗布システム（１８）の前記少なくとも２つの位置のそれぞれにおいて着脱可能である、請求項８から１０のいずれか一項に記載の装置。
【請求項１２】
前記塗布システム（１８）が、前記少なくとも２つの位置間で前記塗布システム（１８）を移動させるためのレバー（５０）またはプッシャ（７２）を備える、請求項１から１１のいずれか一項に記載の装置。
【請求項１３】
前記塗布システム（１８）を前記少なくとも２つの位置のうちの１つに保つための復帰ばね（７０）を備える、請求項１から１２のいずれか一項に記載の装置。
【請求項１４】
前記塗布システム（１８）を前記少なくとも２つの位置のうちの１つに保つように、前記塗布システム（１８）をロックするための少なくとも１つのロッキング装置（２９）を備える、請求項１から１３のいずれか一項に記載の装置。
【請求項１５】
前記ロッキング装置（２９）が、スライダ（３０）を備え、前記スライダ（３０）が、前記塗布システム（１８）を担持する前記アーム（５）に取り付けられ、かつ前記塗布システム（１８）を前記少なくとも２つの位置のうちの１つにロックする、請求項１４に記載の装置。
【請求項１６】
前記ロッキング装置（２９）が、少なくとも２つの相異なる位置に前記塗布システム（１８）をロックすることを可能にする、請求項１４または１５に記載の装置。
【請求項１７】
前記塗布システム（１８）が、枢支連結を介して、前記塗布システム（１８）を担持する前記アーム（５）に取り付けられる、請求項１から１６のいずれか一項に記載の装置。
【請求項１８】
前記塗布システム（１８）を担持する前記アームが、長手方向軸（Ｘ１）を有し、前記枢支連結により、前記塗布システム（１８）は、前記塗布システム（１８）を担持する前記アームの前記長手方向軸（Ｘ１）に平行な回転軸（Ｙ）周りに回転することが可能になる、請求項１７に記載の装置。
【請求項１９】
頭髪を処理するための方法であって、請求項１から１８のいずれか一項に記載の装置（２）が使用され、前記塗布システム（１８）の位置が、前記塗布システム（１８）を担持する前記アーム（５）に対して変化させられる、方法。
【発明の詳細な説明】
【技術分野】
【０００１】
本発明は、頭髪処理用の装置に関し、より詳細には、これに限定するものではないが、頭髪を形付けるように意図されたもの、特に、頭髪をストレートにする、カールさせる、またはウェーブさせるように意図されたものに関する。
【０００２】
本発明は、より詳細には、２つのアームを備える装置に関し、これらのアームは、互いに対して移動することができ、前記アーム間に毛束を差し込むための離間した形態と、毛束を処理するための寄せられた形態とを取ることができ、アームは、この寄せられた形態では、毛束に沿って移動することができる。そのような装置においては、アームは、装置の使用中に頭髪が接触する２つの加熱要素を載せていることが多い。
【背景技術】
【０００３】
時としてストレートアイロンとしても知られているこのタイプの多数の装置は、すでに提案されており、頭髪へのヘアケア製品の塗布を実施している。
【０００４】
通常、ヘアストレートナ(hair straightener)は、２つのアームであって、前記アームの開閉を可能にするヒンジの助けを得て一緒に連結されている、２つのアームと、アームに配設された少なくとも１つの加熱要素とから構成される。頭髪の毛束をスタイリングする作業中、前記毛束は、開放位置で２つのアーム間に差し込まれ、次いで、２つのアームが、頭髪の毛束の上に手動で閉じられる。頭髪の毛束は、次いで、２つのアームが開かれて頭髪の毛束が取り除かれるまで、加熱要素によって産出される熱を受ける。
【０００５】
特許文献１は、ヘアスタイリング器具について記載しており、この器具は、器具の開閉を可能にするように一緒に連結されている２つのアームと、少なくとも１つの加熱部材と、頭髪処理装置を収容するための少なくとも１つの台座とを備え、頭髪処理装置は、作業中、ヘアケア製品の分注を可能にする。頭髪処理装置は、ヘアケア製品を含浸させた、単回使用に適した担体材料から成る。
【０００６】
特許文献２は、頭髪を処理するための装置について記載しており、この装置は、器具の開閉を可能にするように一緒に連結されている２つのアームと、塗布すべき製品を収容しているリザーバと、製品を塗布するためのアプリケータ部材と、頭髪を蒸気に曝すための蒸気出口とを備える。
【先行技術文献】
【特許文献】
【０００７】
【特許文献１】国際公開第２００９／０７８０４６号パンフレット
【特許文献２】国際公開第２０１４／０６４６６０号パンフレット
【発明の概要】
【発明が解決しようとする課題】
【０００８】
ユーザが、装置を使用しながら美容用製品の塗布を容易に調節することができるように、ヘアケア製品を塗布するための装置をさらに改善する必要がある。
【課題を解決するための手段】
【０００９】
本発明の対象は、その態様のうちの第１の態様によれば、頭髪を処理するための装置であり、この装置は、
−  ２つのアームであって、頭髪を処理するための寄せられた形態と、前記アーム間に処理すべき頭髪を差し挟むための離間した形態との間で、互いに相対移動することができる、２つのアーム、および
−  製品を塗布するためのシステムであって、製品を塗布するためのアプリケータ部材を備え、この塗布システムは、アームのうちの一方に取り付けられ、装置を使用して頭髪が処理されている間、処理すべき頭髪に対するアプリケータ部材の相異なるそれぞれの塗布圧力を生成する少なくとも２つの位置間を前記アームと相対移動することができる、塗布システム
を備える。
【００１０】
本発明は、ユーザが、装置を使用している間、特に、２つのアームが寄せられた形態にあるとき、製品をより多くまたはより少なく塗布するために、塗布システムの前記位置のうちの一方または他方を選択することを可能にする。
【００１１】
好ましくは、２つの位置は、塗布システムの末端位置である。
【００１２】
好ましくは、位置のうちの一方は、製品を塗布するために処理すべき頭髪に向かって移動する位置であり、他方は、処理すべき頭髪から離間した位置であって、アプリケータ部材が、処理すべき頭髪から離間され、特に、アプリケータ部材が、アームの寄せられた形態において処理すべき頭髪と接触しないように十分に離間された、位置である。これにより、ユーザは、装置の使用中はいつでも、塗布を停止する、または開始することを選択することが可能になる。ユーザは、たとえば、頭髪の特定の毛束のみに製品を塗布することを選択することができ、そのとき、ユーザは、頭髪の処理中、装置を交換する、またはアプリケータ部材を取り外す必要はない。ユーザが、頭髪の特定の毛束を処理している間、塗布システムを塗布位置に置くこと、および塗布システムを他の毛束のために離間した位置に置くことは容易である。ユーザはまた、頭髪の一部、特に、頭髪の端部のみに製品を塗布することを選択することもできる。
【００１３】
塗布システムは、頭髪を処理するための装置の使用中、任意の中間位置を取るように構成され得る。位置のうちの一方から他方への移行は、とりわけ、特定の量の製品を塗布するための中間位置に塗布システムを保つことをユーザが選択することができるように、連続的に行うことができる。
【００１４】
２つの位置間の塗布システムの移動は、処理を停止させる必要なく、装置が頭髪において使用されている間、行うことができる。
【００１５】
好ましくは、アームはそれぞれ、装置を保持するためのハーフハンドルと、アームの寄せられた形態において処理すべき頭髪と接触するジョー(jaw)とを備える。好ましくは、塗布システムは、塗布システムを担持するアームのジョーに沿って延びる。好ましくは、塗布システムは、ジョーだけに沿って延びる。
【００１６】
塗布システムは、塗布システムを担持するアームの陥凹部に、特に、塗布システムを担持するジョーの陥凹部に取り付けられ得る。陥凹部は、塗布システムを担持するジョーおよび塗布システムによって形成される組立体の幅が、他方のジョーの幅に多かれ少なかれ等しいようなものとすることができる。
【００１７】
塗布システムは、塗布システムを担持するアームに取り付けられているホルダと、ホルダに取り付けられ、アプリケータ部材を備えるリフィルとを備えることができる。
【００１８】
リフィルは、着脱可能とすることができ、リフィルは、相補的な形状によって固定され得、特に、ホルダの対応する溝の中で摺動することができるリブを備えることができる。
【００１９】
ホルダおよび／またはリフィルは、リフィルをホルダにロックするためのロッキング部材を備えることができ、前記リフィルがホルダから誤って離脱することが防止される。リフィルは、塗布システムの位置およびアームの形態に関わらず、アクセス可能とすることができる。リフィルは、アームが、寄せられた形態にあるのか、それとも離間した形態にあるのかに関わらず、塗布システムの位置のそれぞれにおいて着脱可能とすることができる。
【００２０】
上面図においては、リフィル、ホルダ、およびそれらを担持するアームを見ることができる。「上面図においては(in top view)」という表現は、装置が、処理すべき頭髪と接触する側から離れたジョーの側から観察されることを意味する。
【００２１】
塗布システムは、前記位置間で、好ましくは手動で、塗布システムを移動させるためのレバーまたはプッシャを備えることができる。
【００２２】
装置は、塗布システムを前記位置のうちの１つに、特に離間した位置に保つための復帰ばねを備えることができる。
【００２３】
装置は、塗布システムを前記位置のうちの１つに、特に塗布位置に保つように、塗布システムをロックするための少なくとも１つの装置を備えることができる。
【００２４】
ロッキング装置は、スライダを備えることができ、スライダは、塗布システムを担持するアームに取り付けられ、かつ特に、塗布システムの、特には、ホルダのノッチに挿入されることによって塗布システムを前記位置のうちの１つにロックする。
【００２５】
ロッキング装置は、少なくとも２つの相異なる位置に塗布システムをロックすることを可能にすることができる。たとえば、塗布システム、特にホルダは、塗布システムの位置、特に塗布位置と、前記位置間の中間位置、特に低減塗布位置とにそれぞれ対応する２つの別個のノッチを備えることができる。
【００２６】
装置は、塗布システムをロックするための少なくとも２つの装置を備えることができ、このロッキング装置のうちの一方は、前記位置のうちの１つ、特に塗布位置にシステムを保つことを可能にし、ロッキング装置のうちの他方は、前記位置間の中間位置、特に低減塗布位置にシステムを保つことを可能にする。
【００２７】
塗布システムは、回転軸周りに回転することができ得る。塗布システムは、枢支連結を介して、特にヒンジの助けを得て、塗布システムを担持するアームに取り付けられ得る。枢支連結は、アーム、特にジョーと、ホルダとの間の連結とすることができる。連結部は、塗布システムを担持するジョーの陥凹部に隣接していても、またはその中に配設されてもよい。枢支連結により、好ましくは、塗布システムは、回転軸周りに回転することが可能になる。回転軸は、塗布システムを担持するアームの長手方向軸に平行であっても、または垂直であってもよい。好ましくは、回転軸は、塗布システムを担持するアームの長手方向軸に平行である。
【００２８】
一変形形態においては、塗布システムは、軸、特に、処理すべき頭髪と接触するアプリケータ部材の塗布表面に垂直な軸に沿って、移動、特に並進移動することができる。
【００２９】
美容用製品を塗布するためのアプリケータ部材は、前記位置のうちの少なくとも１つで処理すべき頭髪と接触する。美容用製品を塗布するためのアプリケータ部材は、好ましくは、多孔質でかつ弾性的に圧縮可能であり、特に、実質的にすべて同じ向きを有し得る繊維を含むフェルトである。アプリケータ部材には、それが装置に取り付けられる前に、製品を染み込ませていることが好ましい。
【００３０】
アプリケータ部材を担持するジョーとは反対側のジョーは、対抗支持表面を画定することができ、それにより、塗布システムの前記位置のうちの少なくとも１つにおいては、頭髪は、対抗支持表面によって、一定の圧力によりアプリケータ部材に押し付けられる。対抗支持表面は、対向するジョーのハウジングの中に配設された押圧要素、特に、ハウジングと着脱可能な押圧要素によって形成され得る。
【００３１】
好ましくは、特に頭髪をストレートにしようとするとき、装置は、頭髪と接触するように意図されている１つの加熱要素、より好ましくは、２つの加熱要素を備え、２つの加熱要素は、頭髪と接触するように意図され、かつそれぞれが、アームに、特に、アームの寄せられた形態において互いに向き合うように配設される。この、またはこれらの加熱要素はそれぞれ、頭髪と接触させるための高温表面を画定する、優れた熱伝導体である材料から作製されたプレートを含むことができ、前記表面の温度は、たとえば、９５℃以上、より好ましくは、９０℃から２３０℃の間である。
【００３２】
アームのうちの一方、好ましくは、塗布システムを担持するアームとは反対側のアームは、蒸気出口、および／または櫛を有することができる。
【００３３】
好ましくは、製品は、蒸気を当てること、および／もしくは髪を梳くこと、ならびに／または加熱要素によってストレートにすることに先立って、装置の中に差し込まれる頭髪の毛束に塗布される。したがって、アーム間に差し込まれる頭髪は、毛束が装置のアーム間を移動している間に、櫛、蒸気、および加熱要素に曝される前に、アプリケータ部材と接触することができる。
【００３４】
好ましくは、本発明による頭髪を処理するための装置は、特に、閉鎖位置で互いに接触する少なくとも２つの平坦な加熱要素を備えるストレートナである。
【００３５】
本発明のさらなる対象は、頭髪を処理するための方法であり、ここでは、本発明による装置が使用され、塗布システムの位置は、塗布システムを担持するアームに対して、特に、製品の塗布を開始するため、製品の塗布を停止するため、または製品の塗布中に頭髪に対してアプリケータ部材によって加えられる圧力を修正するために、変化させられる。
【００３６】
塗布システムの位置は、処理を停止する必要なく、装置が頭髪に使用されながら変更可能である。
【００３７】
本発明は、その限定していない例示的な実施形態の以下の詳細な説明を読むことにより、および添付の図面を検討することにより、より良く理解され得る。
【図面の簡単な説明】
【００３８】
【図１】塗布システムが塗布位置にある、装置の１つの例の概略的斜視図である。
【図２】図１の装置のＩＩに沿う前面図である。
【図３】図１の装置のＩＩＩに沿う部分的上面図である。
【図４】リフィルの１つの例の概略的斜視図である。
【図５】ホルダの１つの例の概略的斜視図である。
【図６】処理すべき頭髪から離間された位置における、塗布システムを担持するアームの一例を概略的に示す図である。
【図７】塗布システムが中間位置にある、図４によるアームを示す図である。
【図８】ホルダをロックするための装置の一例の概略図である。
【図９】２つの位置のうちの一方における変形形態の塗布システムを概略的に示す部分的横断面図である。
【図１０】２つの位置のうちの他方における図９による塗布システムを示す図である。
【発明を実施するための形態】
【００３９】
説明の残りの部分においては、同一のもしくは類似する要素、または同一のもしくは類似する機能を有する要素は、別段、明記されない限り、図の中の同じ参照符号を有する。
【００４０】
図１〜図３は、本発明による、頭髪を処理するための装置の一例のハンドピース２を示している。
【００４１】
このハンドピース２は、２つのジョー３および４を有し、ジョー３および４は、前記ジョー間に頭髪の毛束を差し込むための離間した形態（図示せず）と、処理するための寄せられた形態との間を互いに対して移動することができる。
【００４２】
ジョー３および４は、上側アーム５および下側アーム６によってそれぞれ担持され、上側アーム５および下側アーム６は、検討中の例においては、関節部８によって一方の端部において一緒に連結され、したがって、ハンドピース２は、トングを形成する。
【００４３】
上側アーム５および下側アーム６はそれぞれ、ユーザがジョー３および４を移動させるために押すことができるそれぞれのハーフハンドル１０および１１を関節部８とジョー３および４との間に画定する、好ましくは、２２ｃｍから４０ｃｍの間、特に、約３１ｃｍの全長を有する。
【００４４】
上側アーム５および下側アーム６は、ジョーの３および４が閉じているとき、好ましくは互いに平行であるそれぞれの長手方向軸Ｘ１およびＸ２に沿って延びる。
【００４５】
弾性復帰部材（図示せず）が、好ましくは、ジョー３および４を、離間した形態に戻すために設けられ、この弾性復帰部材は、たとえば、関節ピン８を中心として配設されるばねである。
【００４６】
本発明は、上側アーム５および下側アーム６を一緒に連結するという特定の形に限定されず、ジョー３および４が、本発明の範囲から逸脱することなく、何らかの他の方式で移動することができるようにされてもよい。しかしながら、それが提供する人間工学のためには、関節部の存在が、おしなべて好ましい。
【００４７】
ジョー３および４は、頭髪を処理するための領域を互いの間に画定し、前記領域は、処理すべき頭髪の毛束を受け入れるように意図されており、ハンドピース２は、処理中、前記毛束に沿って、たとえば、頭髪の根元から端部の方向に移動する。
【００４８】
検討中の例においては、ハンドピース２は、美容用製品を塗布し、次いで、櫛１３に通すことによって頭髪を梳き、頭髪を蒸気によって処理し、次いで、２つの高温表面１５および１６との接触によって頭髪の熱処理を行うように構成されている。
【００４９】
図２に示されている、頭髪の上をハンドピース２が移動する方向Ｄは、好ましくは、上側アーム５および下側アーム６に実質的に垂直である。
【００５０】
ハンドピース２は、検討中の例においては、処理中は固定され、本線に接続されているベースステーション（図示せず）に、線によって接続されている。
【００５１】
このベースステーションは、ハンドピース２に電源を供給し、また水も供給して、蒸気を生成し、ハンドピース２から受信した電気信号を処理する追加の機能も行うことができる。したがって、ハンドピース２をベースステーションに接続する線１８は、様々な導電体および給水管を備えることができる。
【００５２】
ユーザインターフェース（図には示されていない）が、ハンドピース２に存在して、たとえば、ユーザが、ハンドピース２の特定のコンポーネントを起動する、または起動させないことを可能にすることができる。
【００５３】
美容用製品は、美容用製品を収容するリフィル２０と、リフィル２０を担持し、２つのアーム５または６のうちの一方、この場合には、上側アーム５に取り付けられているホルダ２２とを備える塗布システム１８によって塗布される。塗布システム１８は、アーム５の陥凹部２３の中に収納されている。
【００５４】
リフィル２０は、美容用製品を収容し、かつ処理すべき頭髪と接触することができる、アプリケータ部材２６を備える。
【００５５】
図１〜図３に示されている例においては、アプリケータ部材２６は、アームのうちの他方のアーム６のハウジングの中に担持される押圧要素２８と向かい合い、アプリケータ部材２６は、この押圧要素２８に、処理すべき頭髪を押し付けることができる。押圧要素２８は、処理すべき頭髪が接触するアプリケータ部材２６の塗布表面と相補的な形状を有する、頭髪と接触するための表面を有する。押圧要素２８は、着脱可能とすることができ、特に、そのハウジングから押圧要素２８を取り外すことを可能にするハンドルを備えることができる。
【００５６】
図４に示されているように、リフィル２０は、レリーフ、特に、溝４２、この場合にはＴ形状の溝を備え、このレリーフは、ホルダ２２上の対応するレリーフと協働し、特に、図５に示されている、溝４２に対応するリブ４４の中で摺動し、リフィル２０をホルダ２２に取り付けることが可能になる。
【００５７】
リフィル２０はまた、ホルダ２２上のロッキング部材の雌部４８と協働する、ロッキング部材の雄部４６を備え、このことは、装置２の向きに関わらず、リフィル２０をロッキング部材に保持することを可能にする。
【００５８】
一変形形態においては、リフィルは、ロッキング部材の雌部を備え、ホルダは、対応する雄部を備える。
【００５９】
ホルダ２２は、アプリケータ部材２６が、処理すべき毛束から離間されている開放位置と、アプリケータ部材２６が、処理すべき頭髪と接触することができる閉鎖位置との間で、上側アーム５の長手方向軸Ｘ１に実質的に平行に配向される回転軸Ｙ周りで関節接合される。
【００６０】
たとえば、ホルダ２２は、ハンドピース２が使用されている間、ジョー３として機能するアーム５の遠位部に、図１〜図３、ならびに図６および図７に示されているようにヒンジ２８を介して関節接合される。ホルダ２２は、寄せられた形態のアームのうちの他方のアーム６とアプリケータ部材２６の塗布表面がほぼ平行となる、寄せられた塗布位置から、アプリケータ部材２６の塗布表面が頭髪から離間されている、離間した位置まで枢動することができる。
【００６１】
図６に示されているホルダ２２の最大角度移動量αｍａｘは、アプリケータ部材２６を、処理すべき頭髪から離れて置くために、図６に示されているように、有利には、少なくとも４５°、より好ましくは、少なくとも９０°である。図７に示されているように、ホルダ２２はまた、寄せられた塗布位置と離間した位置との間の任意の中間位置を取ってもよい。
【００６２】
図１〜図８に示されている例においては、ホルダ２２は、レバー５０を備え、このレバー５０は、ホルダ２２から横方向に突出する。レバー５０により、ユーザは、ホルダ２２をその回転軸Ｙ周りに枢動させることができる。レバー５０は、ホルダ２２の側壁に連結されている角度付きの部分５２と、回転軸Ｙに平行な軸に実質的に沿って延びる直線部分５４とを有する。
【００６３】
ホルダ２２の閉鎖または開放運動は、ヒンジ２８の領域の中に配設される弾性復帰部材、たとえば、螺旋ばねまたは板ばねによって、適宜、補助され得る。この復帰部材は、ホルダ２２をその開放位置に向かうように付勢することができる。
【００６４】
そのような復帰部材の使用は、図８に示されているように、装置がまた、ホルダ２２を閉鎖位置にロックするための装置２９を備えているとき、特に有利である。この場合においては、ユーザがホルダ２２をロック解除するようにこのロッキング装置２９に働きかけると、ホルダ２２は、有利にはその完全に開放位置のところまで、または一変形形態においては、開放移動量の一部のみにわたって、自動的に開放され得る。
【００６５】
図８に示されているように、ロッキング装置２９は、支持部２２を担持するアーム５に取り付けられた、特に、アーム５の少なくとも２つのガイド３４に挿入されたスライダ３０と、スライダ３０に、特に、アーム５のガイド３４間に固定された操作部材３２と、アーム上に、特に、２つのガイド３４間に存在する阻止レリーフ３６とを備える。スライダ３０は、ホルダ２２を閉鎖位置にロックするために、ホルダ２２のノッチ４０に挿入されるように意図されている。操作部材３２は、２つのガイド３４間を移動し、ガイド３４に当接し得る。操作部材３２は、スライダ３０に固着され、その結果、２つのガイド３４間を操作部材３２が移動することにより、スライダ３０をガイド３４内で移動させることになり、それによって、前記スライダをノッチ４０に挿入する、またはノッチ４０から取り出すことが可能になる。阻止レリーフ３６は、ロック位置においては操作部材３２が阻止レリーフ３６とガイド３４のうちの一方との間でロックされるように、アーム５に配設される。これにより、たとえば、ハンドピース２が落下した場合、誤ってホルダ２２が開く危険性を抑えることができる。
【００６６】
ホルダ２２を閉鎖位置にロックするためには、ユーザは、特に、レバー５０の助けを得て、ホルダ２２を閉鎖位置に手動で保持し、阻止レリーフ３６の上を越えて、ホルダ２２に最も近いガイド３４に当てるように操作部材３２を移動させる。ホルダ２２をロック解除するためには、ユーザは、阻止レリーフ３６の上を元に戻るように越えて、ホルダ２２から最も遠いガイド３４に当てるように操作部材３２を移動させる。
【００６７】
ホルダ２２は、複数のノッチ４０を備えることができ、各ノッチ４０は、ホルダ２２を特定の角度移動量αに保つことを可能にし、たとえば、ノッチ４０のうちの１つは、ホルダ２２を寄せられた塗布位置に保つことを可能にし、ノッチ４０のうちの別のノッチは、図７に示されているように、ホルダ２２を半開放位置に保つことを可能にする。
【００６８】
ヒンジ２８が弾性復帰部材を備えている場合、ホルダ２２に移動リターダを設けることが可能である。
【００６９】
図９および図１０に示されている例は、塗布システム１８の形状によって、図１〜図８の例とは異なる。
【００７０】
図９および図１０に示されている例においては、塗布システム１８は、アプリケータ部材２６の塗布表面に垂直な軸Ｚに沿って移動することができるリフィル２０と、アーム５の軸Ｘ１に平行な軸Ｐに沿って移動することができるホルダ２２とを備える。リフィルは、軸Ｐに沿って固定され、ホルダ２２は、軸Ｚに沿って固定される。リフィル２０は、ホルダ２２の相補的な凹部６４の中に収納されている突出部６２を備える。突出部６２は、リフィル２０の長手方向軸Ｒに対して５°から６０°の間の角度βを成す実質的に平坦な面６６を有する。面６６は、長手方向軸Ｒに対する同じ角度βで、対応する凹部６４の実質的に平坦な壁部６８と接触する。この方式においては、図１０に示されているように、ホルダ２２の軸Ｐに沿う移動は、面６６を壁部６８に対して摺動させ、そのことにより、軸Ｚに沿ってリフィル２０を移動させることになる。
【００７１】
したがって、アプリケータ部材２６は、処理すべき頭髪に塗布される美容用製品の量を調節できるようにするために、アームのうちの他方のアーム６から離間される、またはそれに向かって移動することができる。
【００７２】
ホルダ２２は、位置のうちの１つ、特に、処理すべき頭髪から離間された位置にホルダ２２を戻すことを可能にする復帰部材７０を備える。
【００７３】
ホルダ２２は、レリーフ７４を有するプッシャ７２を備える。レリーフ７４は、ユーザが、指でプッシャ７２を把持することを可能にする。
【００７４】
本発明は、説明したばかりの例示的な実施形態に限定されず、様々な例の特徴は、示されていない変形形態内で互いに組合せ可能である。
【００７５】
「備える、含む(comprising)」という表現は、逆に指定しない限りは、「少なくとも１つを備える、含む(comprising at least one)」と同義であると理解すべきである。
【符号の説明】
【００７６】
２  ハンドピース
３、４  ジョー
５、６  アーム
８  関節部、関節ピン
１０、１１  ハーフハンドル
１３  櫛
１５、１６  高温表面
１８  塗布システム
１８  線
２０  リフィル
２２  ホルダ
２３  陥凹部
２６  アプリケータ部材
２８  押圧要素
２８  ヒンジ
２９  ロッキング装置
３０  スライダ
３２  操作部材
３４  ガイド
３６  阻止レリーフ
４０  ノッチ
４２  溝
４４  リブ
４６  雄部
４８  雌部
５０  レバー
５２  角度付きの部分
５４  直線部分
６２  突出部
６４  凹部
６６  平坦な面
６８  壁部
７０  復帰部材
７２  プッシャ
７４  レリーフ
Ｄ  方向
Ｐ  軸
Ｒ  長手方向軸
Ｘ１、Ｘ２  長手方向軸
Ｙ  回転軸
Ｚ  軸
α  角度移動量
αｍａｘ  最大角度移動量
β  角度
【図１】
0006410947.tif 000002
【図２】
0006410947.tif 000003
【図３】
0006410947.tif 000004
【図４】
0006410947.tif 000005
【図５】
0006410947.tif 000006
【図６】
0006410947.tif 000007
【図７】
0006410947.tif 000008
【図８】
0006410947.tif 000009
【図９】
0006410947.tif 000010
【図１０】
0006410947.tif 000011